(57)【要約】      （修正有）【課題】バランスばねスタッドの組み立て又は分解を単純化できるような、計時器用バランスばねを保持ないし支持するアセンブリーを提供する。【解決手段】計時器用バランスばねを保持ないし支持するアセンブリー１であって、バランスばねスタッド及びスタッドホルダー３を有し、スタッドホルダー３は、長手方向の軸に沿って延びる上側面及び下側面を有する基礎構造５を有し、基礎構造５は、隆起部を形成する面の１つからの出張り３１を有し、アセンブリー１は、さらに、変形可能なアーム３５によって互いに隔てられている第１の開口３４ａと第２の開口３４ｂを有する保持プレート３２を有し、スタッドは第２の開口３４ｂに係合している。【選択図】図１
2016128806.tif 000002
【特許請求の範囲】
【請求項１】
計時器用バランスばねを保持ないし支持するアセンブリー（１）であって、
バランスばねスタッド（９）及びスタッドホルダー（３）を有し、
前記スタッドホルダーは、長手方向の軸に沿って延びる上側面及び下側面を有する基礎構造（５）を有し、
前記基礎構造は、隆起部を形成する前記面の１つからの出張り（３１）を有し、
当該アセンブリーは、さらに、変形可能なアーム（３５）によって互いに隔てられている第１の開口（３４ａ）と第２の開口（３４ｂ）を有する保持プレート（３２）を有し、
前記スタッドは、第２の開口に係合し、
前記第１の開口は、前記出張りと連係するように構成し、
前記出張りの断面は、前記保持プレートの回転によって前記変形可能なアームが変形して、前記第２の開口が縮小し、前記スタッドがクランプされる
ことを特徴とする保持アセンブリー。
【請求項２】
バランスばねスタッド（９）及びスタッドホルダー（３）を有する計時器用バランスばねを保持ないし支持するためのアセンブリー（１）であって、
前記スタッドホルダーは、長手方向の軸に沿って延びる上側面及び下側面を有し、第１の開口（３０４ａ）が設けられている基礎構造（５）を有し、
前記基礎構造は、変形可能なアーム（３０５）によって前記第１の開口から隔てられている第２の開口（３０４ｂ）を有し、
前記スタッドは、前記第２の開口に係合し、
当該アセンブリーは、さらに、前記第１の開口と連係するように構成する出張り（３０１）を有し、
前記出張りの断面は、当該出張りの回転によって前記変形可能なアームが変形し、前記第２の開口を縮小させて、前記スタッドをクランプする
ことを特徴とする保持アセンブリー。
【請求項３】
バランスばねスタッド（９）及びスタッドホルダー（３）を有する計時器用バランスばねを保持ないし支持するためのアセンブリー（１）であって、
前記スタッドホルダーは、長手方向の軸に沿って延びる上側面と下側面を有し、穴（５００）が設けられている基礎構造（５）を有し、
前記基礎構造は、変形可能なアームによって互いに隔てられている第１の開口（３０４ａ）と第２の開口（３０４ｂ）が設けられている保持プレート（３０２）を有し、
前記スタッドは、前記第２の開口（３０４ｂ）に係合し、
当該アセンブリーは、さらに、前記第１の開口と前記穴（５００）と連係するように構成する出張り（３０１）を有し、これによって、前記保持プレートが前記基礎構造に固定されることが可能になり、
前記出張りの断面は、当該出張りの回転によって前記変形可能なアームが変形し、これによって、前記第２の開口を縮小させて、前記スタッドをクランプするような形を有する
ことを特徴とする保持アセンブリー。
【請求項４】
前記第１の開口（３４ａ、３０４ａ）は、環状であり、
前記出張り（３１、３０１）は、円筒状の部分の形態であり、
その外壁の少なくとも１つの領域には、前記変形可能なアーム（３５、３０５）に対して応力を与える隆起部が設けられており、これによって、前記第２の開口（３４ｂ、３０４ｂ）の大きさを縮小させる
ことを特徴とする請求項１〜３のいずれかに記載の保持アセンブリー。
【請求項５】
前記第１の開口（３４ａ、３０４ａ）及び前記出張り（３１、３０１）は、楕円状であり、
前記出張りの主軸は、前記変形可能なアーム（３５、３０５）に対して応力を与えるために、前記基礎構造の長手方向の軸に対して角度的にずれており、これによって、前記第２の開口（３４ｂ、３０４ｂ）の大きさを縮小させる
ことを特徴とする請求項１に記載の保持アセンブリー。
【請求項６】
前記第１の開口（３０４ａ）及び前記出張り（３０１）は、楕円状であり、
前記第１の開口の主軸は、前記変形可能なアーム（３０５）に対して応力を与えるために、前記基礎構造の長手方向の軸に対して角度的にずれており、これによって、前記第２の開口の大きさを縮小させる
ことを特徴とする請求項２又は３に記載の保持アセンブリー。
【請求項７】
前記基礎構造には、凹部（４００）が設けられており、この凹部（４００）に、緩衝システム（４０２）が配置される
ことを特徴とする請求項１に記載の保持アセンブリー。
【請求項８】
前記凹部（４００）は、当該凹部の中心軸が前記出張り（３１）の軸と一致するように配置されている
ことを特徴とする請求項１に記載の保持アセンブリー。
【請求項９】
前記出張り（３０１）には、凹部（４００）が設けられており、この凹部（４００）に、緩衝システム（４０２）が配置される
ことを特徴とする請求項２に記載の保持アセンブリー。
【請求項１０】
前記基礎構造に設けられた穴（５００）は、非貫通穴であり、
前記基礎構造は、当該凹部の中心軸が前記出張りの軸と一致するように位置する凹部（４００）を有し、
この凹部に、緩衝システム（４０２）が配置される
ことを特徴とする請求項３に記載の保持アセンブリー。
【請求項１１】
当該アセンブリーは、さらに、前記保持プレート（３２）に設けられたオスインタフェース（７００）と、及び前記出張り（３１）上に配置されたメスインタフェース（７０２）とを有し、これによって、前記出張りに前記保持プレートを固定する
ことを特徴とする請求項１に記載の保持アセンブリー。
【請求項１２】
当該アセンブリーは、前記基礎構造上に配置されたオスインタフェース（７００）と、及び前記出張り（３０１）上に配置されたメスインタフェース（７０２）とを有し、これによって、前記基礎構造に前記出張りを固定する
ことを特徴とする請求項２に記載の保持アセンブリー。
【請求項１３】
当該アセンブリーは、さらに、前記保持プレート（３０２）上に設けられたオスインタフェース（７００）と、及び前記出張り（３０１）上に配置されたメスインタフェース（７０２）とを有し、これによって、前記基礎構造に前記出張りを固定する
ことを特徴とする請求項３に記載の保持アセンブリー。
【請求項１４】
前記オスインタフェース（７００）及び前記メスインタフェース（７０２）は、ねじのピッチである
ことを特徴とする請求項１１〜１３のいずれかに記載の保持アセンブリー。
【請求項１５】
前記メスインタフェース（７０２）は、その厚みの範囲内において、前記出張り（３１）の中心軸と平行で前記出張りの下側面にて開いている通路によって形成される少なくとも１つの空洞と、及び前記上側面と反対側にて、前記第１の通路と交わる向きを有し、差し込み式嵌め合いで前記保持プレートをロックするために用いられる非貫通溝とを有する
ことを特徴とする請求項１１に記載の保持アセンブリー。
【請求項１６】
前記メスインタフェース（７０２）は、その厚みの範囲内において、前記出張り（３１）の中心軸と平行で前記出張りの上側面にて開いている通路によって形成される少なくとも１つの空洞と、及び
前記下側面と反対側にて、前記第１の通路と交わる向きを有し、差し込み式嵌め合いで前記保持プレートをロックするために用いられる非貫通溝とを有する
ことを特徴とする請求項１２に記載の保持アセンブリー。
【請求項１７】
当該保持アセンブリーは、さらに、前記保持プレートに設けられた歯（８１２）と連係するバランスコック（５）に設けられた歯車（８１０）を有する調整手段（８００）を有し、
前記歯車（８１０）には、工具が当該歯車（８１０）を回転させられるように溝（８１４）が設けられており、これによって、前記保持プレートを回転させることができる
ことを特徴とする請求項１に記載の保持アセンブリー。
【請求項１８】
当該保持アセンブリーは、さらに、前記バランスコック（５）に設けられた第１のノッチ（８２０）と、及び前記保持プレートに配置された第２のノッチ（８２２）とを有する調整手段（８００）を有し、
前記第１のノッチ及び前記第２のノッチは、前記第１のノッチ及び前記第２ノッチに挿入された工具（８２４）によって、前記バランスコックに対して前記保持プレートを回転させることができる
ことを特徴とする請求項１に記載の保持アセンブリー。
【発明の詳細な説明】
【技術分野】
【０００１】
本発明は、バランスばねスタッド及びスタッドホルダーを有する計時器用バランスばねを保持ないし支持するアセンブリーに関し、前記スタッドホルダーは、
−  当該基礎構造の長手方向の軸に沿って延びる第１の止めメンバーを有する基礎構造と、及び
−  前記スタッドホルダーをエスケープ機構に固定する手段と
を有する。
【背景技術】
【０００２】
機械式腕時計においては、ばね仕掛けバランスデバイスを有する調整メンバーがよく用いられる。伝統的に、バランスばねの内側端は、バランススタッフに設けられたコレットに取り付けられている。バランスばねの内側端を取り付け位置合わせするために、バランスばねスタッドを収容するスタッドホルダーをクランプねじと連係させて用いて、スタッドホルダーに係合するバランスばねの部分に対してスタッドをクランプすることが知られている。
【０００３】
このようなアセンブリーにおいて、スタッドホルダーは、伝統的に、バランスコックに取り付けられ、これは、バランススタッフの一端を取り付けるためにも用いられる。実際上、組み立て時及び／又は計時している時に、これらの諸要素を用いて行う操作は困難である。なぜなら、アクセスが制限され、各部品は非常に小さいからである。さらに、このような構成では、バランスばねの有効長の調整のような操作時に、バランスばねクランプねじ又はバランスばねスタッドホルダーが、緩み及び／又は紛失することがよくある。
【発明の概要】
【発明が解決しようとする課題】
【０００４】
本発明は、バランスばねスタッドの組み立て又は分解を単純化できるような、計時器用バランスばねを保持ないし支持するアセンブリーを提供することによって、従来技術の課題を克服することを目的とする。
【課題を解決するための手段】
【０００５】
このために、本発明は、計時器用バランスばねを保持ないし支持するアセンブリーに関し、これは、バランスばねスタッド及びスタッドホルダーを有し、前記スタッドホルダーは、長手方向の軸に沿って延びる上側面及び下側面を有する基礎構造を有し、前記基礎構造は、隆起部を形成する前記面の１つからの出張りを有し、当該アセンブリーは、さらに、変形可能なアームによって互いに隔てられている第１の開口と第２の開口を有する保持プレートを有し、前記スタッドは、第２の開口に係合し、前記第１の開口は、前記出張りと連係するように構成し、前記出張りの断面は、前記保持プレートの回転によって前記変形可能なアームが変形して、前記第２の開口が縮小し、前記スタッドがクランプされる。
【０００６】
また、本発明は、バランスばねスタッド及びスタッドホルダーを有する計時器用バランスばねを保持ないし支持するためのアセンブリーに関し、前記スタッドホルダーは、長手方向の軸に沿って延びる上側面及び下側面を有し、第１の開口が設けられている基礎構造を有し、前記基礎構造は、変形可能なアームによって前記第１の開口から隔てられている第２の開口を有し、前記スタッドは、前記第２の開口に係合し、当該アセンブリーは、さらに、前記第１の開口と連係するように構成する出張りを有し、前記出張りの断面は、当該出張りの回転によって前記変形可能なアームが変形し、前記第２の開口を縮小させて、前記スタッドをクランプする。
【０００７】
また、本発明は、バランスばねスタッド及びスタッドホルダーを有する計時器用バランスばねを保持ないし支持するためのアセンブリーに関し、前記スタッドホルダーは、長手方向の軸に沿って延びる上側面と下側面を有し、穴が設けられている基礎構造を有し、前記基礎構造は、変形可能なアームによって互いに隔てられている第１の開口と第２の開口が設けられている保持プレートを有し、前記スタッドは、前記第２の開口に係合し、当該アセンブリーは、さらに、前記第１の開口と前記穴と連係するように構成する出張りを有し、これによって、前記保持プレートが前記基礎構造に固定されることが可能になり、前記出張りの断面は、当該出張りの回転によって前記変形可能なアームが変形し、これによって、前記第２の開口を縮小させて、前記スタッドをクランプするような形を有する。
【０００８】
第１の好ましい実施形態によると、前記第１の開口は、環状であり、前記出張りは、円筒状の部分の形態であり、その外壁の少なくとも１つの領域には、前記変形可能なアームに対して応力を与える隆起部が設けられており、これによって、前記第２の開口の大きさを縮小させる。
【０００９】
第２の好ましい実施形態によると、前記第１の開口及び前記出張りは、楕円状であり、前記出張りの主軸は、前記変形可能なアームに対して応力を与えるために、前記基礎構造の長手方向の軸に対して角度的にずれており、これによって、前記第２の開口の大きさを縮小させる。
【００１０】
第３の好ましい実施形態によると、前記第１の開口及び前記出張りは、楕円状であり、前記第１の開口の主軸は、前記変形可能なアームに対して応力を与えるために、前記基礎構造の長手方向の軸に対して角度的にずれており、これによって、前記第２の開口の大きさを縮小させる。
【００１１】
第４の好ましい実施形態によると、前記基礎構造には、凹部が設けられており、この凹部に、緩衝システムが配置される。
【００１２】
第５の好ましい実施形態によると、前記凹部は、当該凹部の中心軸が前記出張りの軸と一致するように配置されている。
【００１３】
第６の好ましい実施形態によると、前記出張りには、凹部が設けられており、この凹部に、緩衝システムが配置される。
【００１４】
別の好ましい実施形態によると、前記基礎構造に設けられた穴は、非貫通穴であり、前記基礎構造は、当該凹部の中心軸が前記出張りの軸と一致するように位置する凹部を有し、この凹部に、緩衝システムが配置される。
【００１５】
別の好ましい実施形態によると、当該アセンブリーは、さらに、前記保持プレートに設けられたオスインタフェースと、及び前記出張り上に配置されたメスインタフェースとを有し、これによって、前記出張りに前記保持プレートを固定する。
【００１６】
別の好ましい実施形態によると、当該アセンブリーは、前記基礎構造上に配置されたオスインタフェースと、及び前記出張り上に配置されたメスインタフェースとを有し、これによって、前記基礎構造に前記出張りを固定する。
【００１７】
別の好ましい実施形態によると、当該アセンブリーは、さらに、前記保持プレート上に設けられたオスインタフェースと、及び前記出張り上に配置されたメスインタフェースとを有し、これによって、前記基礎構造に前記出張りを固定する。
【００１８】
別の好ましい実施形態によると、前記オスインタフェース及び前記メスインタフェースは、ねじのピッチである。
【００１９】
別の好ましい実施形態によると、前記メスインタフェースは、その厚みの範囲内において、前記出張りの中心軸と平行で前記出張りの下側面にて開いている通路によって形成される少なくとも１つの空洞と、及び前記上側面と反対側にて、前記第１の通路と交わる向きを有し、差し込み式嵌め合いで前記保持プレートをロックするために用いられる非貫通溝とを有する。
【００２０】
別の好ましい実施形態によると、前記メスインタフェースは、その厚みの範囲内において、前記出張りの中心軸と平行で前記出張りの上側面にて開いている通路によって形成される少なくとも１つの空洞と、及び前記下側面と反対側にて、前記第１の通路と交わる向きを有し、差し込み式嵌め合いで前記保持プレートをロックするために用いられる非貫通溝とを有する。
【００２１】
別の好ましい実施形態によると、当該保持アセンブリーは、さらに、前記保持プレートに設けられた歯と連係するバランスコックに設けられた歯車を有する調整手段を有し、前記歯車には、工具が当該歯車を回転させられるように溝が設けられており、これによって、前記保持プレートを回転させることができる。
【００２２】
別の好ましい実施形態によると、当該保持アセンブリーは、さらに、前記バランスコックに設けられた第１のノッチと、及び前記保持プレートに配置された第２のノッチとを有する調整手段を有し、前記第１のノッチ及び前記第２のノッチは、前記第１のノッチ及び前記第２ノッチに挿入された工具によって、前記バランスコックに対して前記保持プレートを回転させることができる。
【００２３】
例としてのみ与えられる添付図面に示した本発明の少なくとも１つの実施形態（これに制限されない）の下記の詳細な説明を読むことで、本発明の目的、利点及び特徴をより明確に理解できるであろう。
【図面の簡単な説明】
【００２４】
【図１】本発明に係る保持アセンブリーの第１の実施形態の図を示す。
【図２】本発明に係る保持アセンブリーの第１の実施形態の図を示す。
【図３】図３ａ〜３ｃは、本発明に係る保持アセンブリーの第１の実施形態の第１の手法の図を示す。
【図４】本発明に係る保持アセンブリーの第１の実施形態の第２の手法の図を示す。
【図５】本発明に係る保持アセンブリーの第１の実施形態の第２の手法の図を示す。
【図６】本発明に係る保持アセンブリーの第２の実施形態の図を示す。
【図７】図７ａ、７ｂは、本発明に係る保持アセンブリーの第２の実施形態の第１の手法の図を示す。
【図８】図８ａ〜８ｃは、本発明に係る保持アセンブリーの第２の実施形態の第２の手法の図を示す。
【図９】本発明に係る保持アセンブリーの第２の実施形態の第２の手法の変種の図を示す。
【図１０】本発明に係る保持アセンブリーの第１及び第２の実施形態の第１の変種の図を示す。
【図１１】本発明に係る保持アセンブリーの第１及び第２の実施形態の第１の変種の図を示す。
【図１２】本発明に係る保持アセンブリーの第１及び第２の実施形態の第２の変種の図を示す。
【図１３】本発明に係る保持アセンブリーの第１及び第２の実施形態の代替実施形態の図を示す。
【図１４】本発明に係る保持アセンブリーの実施形態の第３の変種の図を示す。
【図１５】図１５ａ、１５ｂは、本発明に係る保持アセンブリーの実施形態の別の変種の図を示す。
【図１６】図１６ａ、１６ｂは、本発明に係る保持アセンブリーの実施形態の別の変種の図を示す。
【図１７】本発明に係る保持アセンブリーの実施形態の第３の変種の図を示す。
【図１８】本発明に係る保持アセンブリーの実施形態の第３の変種の図を示す。
【図１９】図１９ａ、１９ｂは、本発明に係る保持アセンブリーの実施形態の別の変種の図を示す。
【発明を実施するための形態】
【００２５】
本発明は、大まかには、バランスばねスタッドのより単純な組み立て／分解を可能にする計時器用バランスばねを保持ないし支持するアセンブリーを提供するというアイデアから生じたものである。
【００２６】
図１に示す第１の実施形態において、第１の実施形態に係る計時器用バランスばねを保持ないし支持するアセンブリー１の概略図を示している。この保持アセンブリー１は、バランスコック５に取り付けられるように構成するスタッドホルダー３を有する。このバランスコック５は、「基礎構造」とも呼ばれる。このバランスコック５は、長手方向の軸Ｄを有する。この保持アセンブリー１は、さらに、バランスばねの１巻きのコイルに取り付けられるバランスばねスタッド９を有する。スタッドホルダー３は、バランスばねスタッド９をバランスコック５に固定するために用いられる。
【００２７】
図１及び２に示すこの第１の実施形態では、スタッドホルダー３は、保持プレート３２によって形成されている。バランスコック５は、隆起部が形成された出張り３１を有する。この保持プレート３２は、開口３４によって穴が開いたプレートである。保持プレート３２は、さらに、開口３４を第１の開口３４ａと第２の開口３４ｂに隔てている変形可能なバー３５を有する。
【００２８】
第１の開口３４ａは、開口のうちの最大の部分であり、出張り３１と連係するように構成している。このことは、出張り３１が第１の開口３４ａに挿入されることを意味する。第２の開口３４ｂは、スタッド９のために用いられる。実際に、スタッド９が第２の開口３４ｂ内に挿入される。
【００２９】
好ましいことに、本発明によると、出張り３１及び第１の開口３４ａは、保持プレート３２が出張り３１に対して回転すると、変形可能なバー３５に作用することができるような形を有する。このようにバーが変形することによって、第２の開口３４ｂを縮小させて、これによって、スタッドをクランプすることができる。
【００３０】
図３ａ、３ｂ及び３ｃに示す第１の手法では、第１の部分３４ａが完全な円形であり、第２の部分３４ｂが曲がった溝の形態であるように構成する。この第１の手法では、出張り３１は、断面が一定ではない部分の形態である。より具体的には、出張り３１は、中心軸Ｃを有する実質的に環状の部分となるように作られ、これにおいて、ある領域において、円の中心と出張り３１の端の間の距離が、他の領域よりも大きい。図３ａに示すように、この領域によって、別領域が設けられる。
【００３１】
この別領域は、スタッド９をクランプするために用いられる。実際に、出張り３１に対して保持プレート３２を回転させることによって、出張り３１の別領域が、変形可能なバー３５と接触し始める。第１の開口３４ａが環状であることを考えると、出張り３１の別領域は、変形可能なバー３５に対して応力をはたらかせる。この応力は、バー３５を変形し、これによって、第２の開口３４ｂが縮小する。この縮小は、スタッド９に応力を与え、スタッドをクランプする。
【００３２】
プレート３２をコック５にマウントし、保持プレート３２の第１の開口３４ａに出張り３１を挿入することによって組み立てを行う。保持プレート３２は、恒久的な角位置にマウントすることができ、また、恒久的な角位置にマウントしないことができる。保持プレート３２が外れることを防ぐために、出張り３１に周部溝を設けることができる。保持プレート３２が恒久的な角位置にマウントされる場合には、保持プレート３２は、時計回り又は反時計回りの特定の角度回転する。これによって、別領域が変形可能なバー３５に接しなくなる。このようにして、この別領域によって与えられる応力はなくなり、図３ｂに示すように、第２の開口３４ｂは、元の大きさに戻る。
【００３３】
そして、スタッド９が第２の開口３４ｂ内に配置され、保持プレート３２が出張り３１に対して回転し、図３ｃに示すように、第２の開口３４ｂを縮小し、保持プレート３２にスタッド９をクランプする。
【００３４】
出張り３１は、突出部を備える環状の部分又は卵形の部分として構成することができる。
【００３５】
図４及び５に示す第２の手法では、第１の開口３４ａが楕円状であり、第２の開口３４ｂが曲がった溝の形態であるように構成する。このように楕円状であることによって、楕円状の出張り３１を得ることができる。この楕円は、焦点どうしを通り抜ける主軸（焦点軸と呼ばれる）と、及び焦点軸に垂直でこの楕円の２つの焦点によって形成される線分の中心を通り抜ける副軸とを有する。この第２の手法では、図４に示すように、出張り３１は、第１の開口３４ａの断面と同一の断面を有する部分の形態である。
【００３６】
しかし、出張り３１は、その主軸が、図４に示すように、コック５の長手方向の軸と平行に延びるように構成する。このような状況で、保持プレート３２の組み立て時に、出張り３１が第１の開口３４ａ内に挿入される。その結果、保持プレート３２は、コック５の長手方向の軸とのアライメント位置に対して角度的にずれている位置にある。なぜなら、プレート３２とコック５が完全にアライメント状態である場合、同じ形を有する出張り３１とプレート３２の第１の開口３４ａとは一致しておらず、角度的にずれているからである。
【００３７】
第２の開口３４ｂに挿入されたスタッド９をクランプするために保持プレート３２が回転されると、２つの極の一方、すなわち、出張り３１の中心から最も遠い２つの領域の一方が、変形可能なバー３５と接触し始める。そして、変形可能なバー３５は、出張り３１から応力を受け、これによって、バー３５が変形する。このバー３５の変形によって、第２の開口３４ｂの縮小をもたらし、したがって、図５に示すようにスタッド９をクランプするようなスタッド９に対する応力が出現する。
【００３８】
図６に示す第２の実施形態では、スタッドホルダー３は保持プレート３０２及び出張り３０１によって構成する。ここで、保持プレートとコックは、開口３０４が設けられた単一の部品を形成している。出張り３０１は、ここで、保持プレートと連係する自由な部品である。
【００３９】
保持プレート３０２は、さらに、開口３０４を第１の開口３０４ａと第２の開口３０４ｂに隔てる変形可能なバー３０５を有する。第１の開口３０４ｂは、開口のうちの最大の部分であり、出張り３０１と連係するように構成する。このことは、出張り３０１が第１の開口３０４ａに挿入されることを意味する。第２の開口３０４ｂは、スタッド９のために用いられる。実際に、スタッド９は、第２の開口３０４ｂに挿入される。
【００４０】
好ましいことに、本発明によると、出張り３０２及び第１の開口３０４ａは、出張り３０２が保持プレートに対して回転するときに、変形可能なバー３０５に作用することができるような形を有する。このようにバーが変形することによって、第２の開口３４ｂを縮小させ、これによって、スタッド９をクランプすることができる。
【００４１】
図７ａ及び７ｂに示す第１の手法では、第１の開口３０４ａが完全な円形を有し、第２の部分３０４ｂが曲がった溝の形態であるように構成する。この第１の手法では、出張り３０１は、一定ではない断面を有する部分の形態である。より具体的には、出張り３０１は、実質的に環状の部分の形態であって、別領域を提供する円の中心と出張り３０１の端の間の距離が他の領域よりも大きいような１つの領域を有するように作られる。
【００４２】
この別領域は、スタッド９をクランプするために用いられる。実際に、保持プレート３０２に対して出張り３０１を回転させることによって、出張り３０１の別領域は、変形可能なバー３０５と接触し始める。第１の開口３０４ａが環状であることを考えると、出張り３０１の別領域は、変形可能なバー３０５に対して応力をはたらかせる。このようにして、この応力は、第２の開口３４０ｂを縮小させるようにバー３０５を変形させる。この縮小によって、スタッド９に応力を及ぼして、スタッドをクランプする。
【００４３】
コック５に出張り３０１をマウントし、これを保持プレート３０２の第１の開口３０４ａに挿入することによって、組み立てを行うことができる。出張り３０１を恒久的な角位置にマウントすることができ、また、恒久的な角位置にマウントしないこともできる。出張り３０１が恒久的な角位置にマウントされる場合、出張り３０１を時計回り又は反時計回りの特定の角度回転させる。これによって、別領域は、変形可能なバー３０５に接しなくなる。このように、この別領域によって与えられる応力がなくなり、第２の開口３０４ｂはその元の大きさに戻る。これによって、スタッド９を組み立てることができる。
【００４４】
そして、スタッド９が第２の開口３０４ｂ内に配置され、出張り３０１が保持プレート３０２に対して回転され、これによって、第２の開口３０４ｂを構成し、保持プレート３０２にスタッド９をクランプする。
【００４５】
出張り３０１は、突出部又は卵形の部分を備える環状の部分として、構成することができる。
【００４６】
第２の開口３０４ｂ内でスタッド９を滑らせることによって、スタッド９の角位置を調整することができる。
【００４７】
図８ａ、８ｂ及び８ｃに示す第１の手法では、第１の開口３０４ａが完全な卵形であり、第２の部分３０４ｂが曲がった溝の形態であるように構成する。この卵形によって、ｘｙ平面における外法が異なるような出張り３０１を得ることができる。出張り３０１の長さは、その幅よりも大きい。この第２の手法では、出張り３０１は、第１の開口の断面と同じ断面の部分の形態である。
【００４８】
しかし、第１の開口３０４ａは、その長さがコック５の長手方向の軸と垂直に延びるように構成する。結果的に、保持プレート３０２の組み立て時に、出張り３０１が第１の開口３０４ａ内に挿入される。その結果、出張り３０１の長手方向の軸は、コック５の長手方向の軸とのアライメント位置に対して角度的にずれている位置にある。
【００４９】
第２の開口に挿入されたスタッドをクランプするために保持プレート３０１が回転されるとき、２つの極の一方、すなわち、出張り３０１の中心から最も遠い２つの領域の一方が、変形可能なバー３０５と接触し始める。そして、変形可能なバー３０５は、出張り３０１からの応力を受け、バーの変形をもたらす。この変形は、第２の開口３４ｂを縮小させ、したがって、スタッド９に対する応力を発生させ、スタッドをクランプする。
【００５０】
図９に示す変種では、保持プレート３０２は、コック５に固定されるプレートである。また、コック５には、保持プレート３０２の第１の開口３０４ａと同じ形の貫通穴又は非貫通穴５００が設けられている。保持プレート３０２がコック５に固定されている場合、２つの開口３０４ａ、５００の位置が合っている。この変種によって、好ましいことに、保持プレートの角位置をコックの角位置に対して変更することができ、これによって、スタッドのより良い位置合わせが可能になる。
【００５１】
保持プレート３０２に対して出張り３０１を又は出張り３１に対して保持プレート３２を、回転可能にマウントするために、オスインタフェース７００及びメスインタフェース７０２が設けられる。オスインタフェース７００及びメスインタフェース７０２どうしは、回転運動によって可動部をコック５にマウントするように互いに連係する。
【００５２】
第１の代替実施形態によると、この回転可能なマウントは、差し込み式嵌め合い（bayonet fitting）で行われる。図１３の場合には、出張り３１はコック５から延び、保持プレート３２は出張り３１にマウントされる。メスインタフェース７０２は、出張り３１に設けられる。このメスインタフェース７０２は、出張り３１の厚みの範囲内に設けられた少なくとも１つの空洞７０２ａからなる。この空洞７０２ａは、通路７０２ｂによって形成される。この通路７０２ｂは、出張り３１の中心軸と平行であり、出張り３１の下側面で開いており、第１の凹部と交わる向きを有し、上側面３１ａの反対側に非貫通溝７０２ｃが設けられている。溝７０２ｃは、保持プレート３２の差し込み式ロックのために用いられる。
【００５３】
第１の開口３４ａに隣接して位置するオスインタフェース７００は、少なくとも１つの突出部７０１からなる。この突出部７０１は、第１の開口３４ａの端に隣接して位置する。突出部７０１は、出張りのメスインタフェース７０２と連係するように構成する。
【００５４】
保持プレート３２は、保持プレート３２の突出部７０１を出張り３１の通路７０２ｂに挿入することができるように、出張り３１にマウントされる。このようにして、出張り３１を第１の開口３４ａに挿入することができる。出張り３１が当接位置に到達するときには、湾曲アームが溝７０２ｃに面しているはずである。結果的に、突出部を溝に挿入し、出張りをコックに固定するために、回転運動が行われる。
【００５５】
第２の代替実施形態によると、回転可能なマウントは、ねじマウントである。これを達成するために、メスインタフェースとオスインタフェースは両方ともねじ山からなる。
【００５６】
図１０及び１１に示す２つの実施形態の第１の変種では、出張り３１、３０１は、その下側面３１ａ、３０１ａに凹部４００が設けられている。この凹部は、緩衝システム４０２を挿入するためのものである。緩衝システム４０２は、伝統的な形態であることができる。すなわち、ジュエル穴及び受け石が配置されたセッティングや単一のジュエル４０４の形態であることができる。この単一の石４０４には、バランススタッフと連係する凹部が設けられており、弾性リング４０６によって凹部４００に圧入することができる。また、緩衝システムは、弾性アームを備えるディスクの形態であることができる。この変種によって、スタッドと、緩衝システムと連係するバランススタッフピボットとの間の中心合わせが可能になる。この変種は、出張り３０１がそれ自体緩衝システムであるように構成することによって、さらに発展させることができる。この緩衝システムは、ジュエル穴及び受け石が配置されたセッティングの形態である。
【００５７】
出張り３０１が緩衝システム４０２を備える自由な部品であるような、図１２に示す第２の変種では、出張り３０１は、高さ調整されてマウントされる。これを達成するために、第１の開口３０４ａにねじ山６００が設けられており、この中に出張り３０１が挿入される。そして、出張り３０１は、その外壁３０１ｂに、保持プレート３０２のねじ山６００と連係するねじ山６０２を有する。このようにして、出張りに対してより多く又はより少なく回転させることによって、緩衝システムの高さ位置を調整することができる。したがって、スタッドをマウントすることの予備ステップは、保持プレートの第１の開口内に出張りが挿入され、次に、これが回転され、緩衝システムの高さを調整する。次のステップは、スタッドを適所にセットしクランプするステップである。
【００５８】
第１及び第２の実施形態の第３の変種では、調整手段８００は、保持プレートの角度調整のために備えられ、スタッドを固くクランプし続けつつ、コックに対する保持プレートの角位置を変更する。
【００５９】
出張り３０１が基礎構造に付加される部分であり保持プレート３０２がコック５に固定されているような、第２の実施形態の場合には、調整手段８００は、図１４に示すように、コックに対向する側の保持プレートの面上に配置されている係合手段８０１と、及び保持プレートに対向する側のコックの面上に設けられた複数の受容体８０２とを有する。例えば、係合手段８０１は、コックに対向する側の保持プレートの面から出る少なくとも１つのチューブ８０３を有し、複数の受容体８０２には、チューブを挿入することができる複数の穴が設けられている。複数のチューブ８０３を有することによって、チューブ８０３の１つが壊れても保持が維持されることが確実になる。
【００６０】
好ましくは、複数のチューブ及び複数の穴は、環状に構成する。この構成は、コックに対する保持プレート３２の角位置を変え、この角位置にロックすることを可能にするという利点を有する。角位置が定められロックされると、スタッドを適所にセットし、スタッドを保持プレートにクランプするステップを行うことができる。
【００６１】
結果的に、出張りが付加部分であるので、スタッドをクランプするには、単に、出張りを第１の保持プレートの開口及びコックの開口内に挿入し、次に、保持プレートの変形可能なバーに作用させるだけでよい。
【００６２】
図１７に示す第１の実施形態の場合には、角度調整手段８００が設けられる。この調整手段８００は、バランスコック５上に配置された歯車８１０を有する。この歯車８１０は、アーバーにマウントされる。歯車８１０は、保持プレートに設けられた歯８１２と連係するように構成する。より具体的には、歯８１２は、保持プレート３２の外壁３２ａに設けられている。
【００６３】
車８１０は、溝８１４を有し、これによって、平坦な頭を有するマイナスのねじ回しのような工具を用いて歯車８１０に作用させることができる。
【００６４】
したがって、スタッド９の角位置を変更するために、人によって、歯車の溝８１４にねじ回しの平坦な頭を係合させ、歯車８１０を回転させる。歯車８１０は、保持プレート３２の歯８１２と噛み合い、その結果、歯８１２を回転させる。
【００６５】
図１８に示すように、調整手段８００が、保持プレート３２に設けられた第２のノッチ８２２と、及びバランスコック５に設けられた第１のノッチ８２０とを有するように構成することができる。これらのノッチ８２０、８２２どうしは、互いに向き合うように位置する。これによって、これら両方のノッチに、ねじ回しの平坦な頭を配置することができる。この構成によって、ねじ回し８２４を自転させることによって保持プレート３２を回転させることができる。このようにして、単純で低コストな保持プレートの角度調整手段を達成することができる。
【００６６】
さらに、別の変種において、出張り３１及び保持プレート３２、又は保持プレート３０２及び出張り３０１が、コック５の下側面に、すなわち、ばね仕掛けバランスに対向する側に位置する面に、設けられる。
【００６７】
図１５ａ、１５ｂ、１６ａ、１６ｂに示す別の変種において、図１５ａ、１５ｂに示す保持プレート３２又は図１６ａ、１６ｂに示すバランスコック５の開口３４、３０４は、一端が開口３４、３０４の壁に接続され他端が自由端であるような変形可能なアーム３５ａ、３０５ａによって、第１の開口と第２の開口に隔てられている。また、開口３４、３０４の壁は、拡張部３５ｂ、３０５ｂを有する。これは、いずれの形であってもよい。この拡張部によって、スタッドの組み立て時に、弾性アーム３５ａ、３０５ａが、第２の開口３４ｂ’、３０４ｂ’の壁に対して及び拡張部３５ｂ、３０５ｂの壁に対して、スタッドを押して、図１５ｂ及び１６ｂに示すように、スタッドをロックすることができる。
【００６８】
これに関連して、図１９ａ及び１９ｂに示すように、変形可能なアーム３５ａが、バンプないし隆起部３５ａ’を有するような変種を提供することができる。このバンプないし隆起部は、出張り３１と連係する。実際に、巧妙なことに、出張り３１は概して環状であるが平坦な部分３１ａを有する。そして、弾性アーム３５ａは、平坦な部分に対向しているときにアーム３５ａがリリースされて、これによって、スタッドをその平坦な部分に容易に配置することができるように構成する。保持プレート３２がスタッド９をロックするために回転させられる場合、弾性アーム３５ａのバンプは、出張り３１の壁に接し続け、これによって、平坦な部分と周の残りの部分との間の出張り３１の厚みが変化することによって、弾性アーム３５ａに対して応力がはたらく。この応力が弾性アームを開口３４、３０４の壁に近い方に動かすように意図されている。このようにして、スタッドは、弾性アームによって適所に保持される。保持プレート３２の角位置をロックするために、出張り３１にノッチ３１ｂを設けるように構成することができる。この構成では、スタッドホルダーの角位置を見るためのマーキングとしてバンプを用いることができる。
【００６９】
添付の請求の範囲によって定められる本発明の範囲から逸脱せずに、上記の本発明の様々な実施形態に対して、当業者に明らかな様々な変更及び／又は改善及び／又は組み合わせを行うことができることは明らかであろう。
【００７０】
また、保持プレートに２つの横長の穴を設けることによって、コック上の保持プレートの角度調整を行うことができる。これらの２つの横長の穴によって、回転自由度を許容しつつ、保持プレートをコックに固定することができる。好ましくは、この横長の穴は、保持プレートを出張りのまわりで回転させることができるように設けられる。
【００７１】
図１９ａ及び１９ｂに示すように、保持プレート３２には、その周部に少なくとも１つのノッチ３２ａを設けることができる。このノッチによって、保持プレートを回転させるためのねじ回しやピンセットのような工具を単純に用いることができる。ピンセットを使用する場合には、２つの直径的に反対側のノッチを設けることができる。
【００７２】
同様に、衝撃があった場合にスタッドホルダーを保持するために、Ｚ方向における止めメンバーとして、ショックアブソーバーとしてはたらく出張り３０１を用いることができる。
【符号の説明】
【００７３】
１  アセンブリー
３  スタッドホルダー
５  バランスコック
９  バランスばねスタッド
３１  出張り
３２  保持プレート
３５、３０５  変形可能なアーム
３０１  出張り
３０２  保持プレート
４００  凹部
４０２  緩衝システム
５００  穴
７００  オスインタフェース
７０２  メスインタフェース
８００  調整手段
８１０  歯車
８１２  歯
８１４  溝
８２０  第１のノッチ
８２２  第２のノッチ
８２４  工具
３１、３０１  出張り
３５、３０５  変形可能なアーム
３４ａ、３０４ａ  第１の開口
３４ｂ、３０４ｂ  第２の開口
【図１】
2016128806.tif 000003
【図２】
2016128806.tif 000004
【図３】
2016128806.tif 000005
【図４】
2016128806.tif 000006
【図５】
2016128806.tif 000007
【図６】
2016128806.tif 000008
【図７】
2016128806.tif 000009
【図８】
2016128806.tif 000010
【図９】
2016128806.tif 000011
【図１０】
2016128806.tif 000012
【図１１】
2016128806.tif 000013
【図１２】
2016128806.tif 000014
【図１３】
2016128806.tif 000015
【図１４】
2016128806.tif 000016
【図１５】
2016128806.tif 000017
【図１６】
2016128806.tif 000018
【図１７】
2016128806.tif 000019
【図１８】
2016128806.tif 000020
【図１９】
2016128806.tif 000021
【外国語明細書】
2016128806000001.pdf